(57)【要約】【課題】ミストが基板に付着、蓄積したことを検知し、装置の故障を最小限に留めることのできるインクジェット記録装置を提供すること。【解決手段】インクを飛翔させて記録を行うインクジェット記録ヘッドを有するインクジェット記録装置において、インクミスト付着検出手段を設けるよう構成し、又、前記インクミスト検出手段は互いに隣り合う導体間にインクが付着したことによる抵抗値の変化で検出し、前記導体の間隔は、前記記録装置に使用される電気素子端子の間隔より狭いように構成し、更に、前記インクミスト検出手段は、前記記録装置に設けられた電気基板の上に配置された素子より最も記録部に近い位置に配置されるように構成する。【選択図】図１
2006192808.tif 000002
【特許請求の範囲】
【請求項１】
インクを飛翔させて記録を行うインクジェット記録ヘッドを有するインクジェット記録装置において、
インクミスト付着検出手段を設けたことを特徴とするインクジェット記録装置。
【請求項２】
前記インクミスト検出手段は互いに隣り合う導体間にインクが付着したことによる抵抗値の変化で検出し、前記導体の間隔は、前記記録装置に使用される電気素子端子の間隔より狭いことを特徴とする請求項１記載のインクジェット記録装置。
【請求項３】
前記インクミスト検出手段は、前記記録装置に設けられた電気基板の上に配置された素子より最も記録部に近い位置に配置されることを特徴とする請求項２記載のインクジェット記録装置。
【請求項４】
前記インクミスト検出手段は、前記記録装置に設けられた複数の電気基板のうち、最も記録部に近い電気基板に配置されることを特徴とする請求項２記載のインクジェット記録装置。
【請求項５】
前記インクミスト検出手段は、前記記録装置に設けられた複数の電気基板の上に配置された最も素子端子の間隔が小さい素子の近傍に配置されることを特徴とする請求項２記載のインクジェット記録装置。
【請求項６】
装置前記記録ヘッドによる記録を前記記録媒体の縁より外側に外れるまで行う記録制御手段を有することを特徴とする請求項１〜５の何れかに記載のインクジェット記録装置。
【発明の詳細な説明】
【技術分野】
【０００１】
本発明は、インクジェット記録装置のミスト汚れ検知に関するものである
【背景技術】
【０００２】
従来、紙や０ＨＰ用シート等の記録媒体に対して記録を行う記録装置は、種々の記録方式の記録ヘッドを搭載した形態で実用化されている
インクジェット記録装置は、記録ヘッドからインク滴を吐出して印字を行う際にインク滴の主滴以外に、その主滴よりも小さくて吐出速度が遅いインク滴が副次的に発生する。又、インク滴の主滴が記録媒体や、メンテナンス用の吐出時にインク受け面に衝突することにより、小さいインク滴が弾け飛んでミスト状のインクが発生する場合がある。これらの副次的に発生するインク滴を以下、「インクミスト」と言う。オンデマンド型の熱エネルギーによる気泡形成を用いたインクジエツト記録では、インク滴速度が速くできるが、反面、衝突によるインクミストの発生も多くなる傾向がある。
【０００３】
インクミストは、直径５μｍ以下の微小なインク滴であるため、記録装置内に浮遊し、装置内の気流で移動し、電気基板等に付着する場合がある。
【０００４】
インクは導電性があるため、基板に多量に付着すると回路がショートし、動作不良等の故障が発生する場合がある。
【０００５】
インク付着の検知方式として特許文献１のような方式が提案されている。
【０００６】
【特許文献１】特開平６−１１５０７８号公報
【発明の開示】
【発明が解決しようとする課題】
【０００７】
しかしながら、特許文献１の方式は、記録ヘッドのノズルに対向して配置することにより印字ムラやスジ及びインク漏れを検出する目的のものであり、インクミスト蓄積検知のためのものではない。このため、ミスト検知のための配置の工夫等がない。
【０００８】
本発明は、上記問題に鑑みてなされたもので、その目的とする処は、ミストが基板に付着、蓄積したことを検知し、装置の故障を最小限に留めることのできるインクジェット記録装置を提供することである。
【課題を解決するための手段】
【０００９】
上記課題を達成するため、請求項１記載の発明は、インクを飛翔させて記録を行うインクジェット記録ヘッドを有するインクジェット記録装置に関し、インクミスト付着検出手段を設けるよう構成したことを特徴とする。
【００１０】
又、請求項２記載の発明は、請求項１記載のインクジェット記録装置に関し、前記インクミスト検出手段は互いに隣り合う導体間にインクが付着したことによる抵抗値の変化で検出し、前記導体の間隔は、前記記録装置に使用される電気素子端子の間隔より狭いように構成したことを特徴とする。
【００１１】
又、請求項３記載の発明は、請求項２記載のインクジェット記録装置に関し、前記インクミスト検出手段は、前記記録装置に設けられた電気基板の上に配置された素子より最も記録部に近い位置に配置されるよう構成したことを特徴とする。
【００１２】
又、請求項４記載の発明は、請求項２記載のインクジェット記録装置に関し、前記インクミスト検出手段は、前記記録装置に設けられた複数の電気基板のうち、最も記録部に近い電気基板に配置されるよう構成したことを特徴とする。
【００１３】
又、請求項５記載の発明は、請求項２記載のインクジェット記録装置に関し、前記インクミスト検出手段は、前記記録装置に設けられた複数の電気基板の上に配置された最も素子端子の間隔が小さい素子の近傍に配置されるよう構成したことを特徴とする。
【００１４】
又、請求項６記載の発明は、請求項１〜５記載のインクジェット記録装置に関し、前記インクジェット記録は装置前記記録ヘッドによる記録を前記記録媒体の縁より外側に外れるまで行う記録制御手段を有するよう構成したことを特徴とする。
【発明の効果】
【００１５】
本発明によれば、インクミストによる記録装置の電気基板への付着が検知可能になるため、装置の誤動作等が防止できる。
【発明を実施するための最良の形態】
【００１６】
＜実施の形態１＞
以下、本発明の実施の形態について図面を参照して説明する。
【００１７】
図１は本発明の記録装置の外観斜視図である。２は回動可能に設けられたカバーを兼ねる給紙トレー、５は記録媒体を挿入する給紙口であり、不使用時には給紙トレー２を閉じてホコリや異物の進入を防ぐことができる。６は記録媒体を排出する排紙口、３は回動可能に設けられた排紙カバーであり、不使用時には給紙とレート同様に、排紙カバー３を閉じてホコリや異物の進入を防ぐことができる。４は電源スイッチやＬＥＤ等から成る操作パネルである。
【００１８】
図２は本発明の一実施形態のインクジェット記録装置の内部構造を示す斜視図である。外装や本発明に直接関わらない部分については図示を省略してある。
【００１９】
本実施の形態の記録装置の全体構成について簡単に説明すると、記録シート（記録媒体）を１枚ずつ装置本体内部へ給送する自動給紙部１００と、自動給紙部１００から送出される記録シートを所望の記録位置へと導き、その後、この記録位置から排出する搬送部（記録媒体搬送手段）２００と、搬送部２００の下流に位置する排出部３００と、搬送部２００によって記録位置に搬送された記録シートに所望の記録を行うインクジェット記録ヘッド４００ａを含む記録部４００と、記録部４００のインクジェット記録ヘッド４００ａ等に対する回復処理を行う回復部６００が、シャーシ７０１等に取り付けられて、適宜連動するようになっている。
【００２０】
記録部４００と対向する記録位置には、記録シートを支持して案内するプラテン２０３が設けられている。図１において、記録シートの搬送方向は矢印Ａで示されており、記録部４００の走査方向（往復動作方向）は矢印Ｂで示されている。
【００２１】
尚、本記録装置は携帯して使用することを主眼においた考慮がされている。手のひらの長さは７０ｍｍから１２０ｍｍ程度なので、握り易さを考慮すると、厚さは６０ｍｍ以下が携帯性に優れている。又、欧米等で市販されている事務机の引出しの内幅は、レターサイズ用のファイルを収めることを考慮して３１０ｍｍ以上のものが多い。これらの点を考慮し、装置のサイズは厚さ５１．８ｍｍ、幅３１０ｍｍ、奥行き１７４ｍｍとして手で掴むことが可能で、且つ、机の引出しに収納可能なサイズとした。又、記録装置の一番短い寸法を有する部分の面から直交する方向に記録媒体が排出されるように排紙口を設けてある。図１で説明すると、装置の厚さ方向が一番短い寸法を有する面は横面、前面、後面である。本実施の形態では、前面に排紙口を設けてある。
【００２２】
図３に記録部４００、及び排紙部３００近傍の断面図を示す。
【００２３】
８はＬＦローラであり、不図示の駆動手段により回転駆動され、不図示の押圧手段によりＬＦローラ８方向に押圧されるピンチローラ９により記録媒体を狭持し、搬送を行う。搬送部４００により搬送された記録媒体は、プラテン２０３に案内され、記録部４００に搭載された記録ヘッド４００ａにより記録が行われた後、排紙部３００へと搬送される。搬送部３００は、不図示の駆動手段により回転駆動される排紙ローラ１０と不図示の押圧手段により排紙ローラ１０方向に押圧される拍車２１により記録媒体を狭持し、排紙を行う。
【００２４】
本発明の記録装置では余白なしの印字を行うことが可能である。インクジェット方式はインクを飛翔させて記録を行うため記録ヘッドと記録媒体を非接触で記録が行える。このため、記録媒体のサイズより若干大きめの記録を行い(以下、はみ出し印字と呼ぶ)、結果として記録媒体の余白を無しにした記録結果を提供することができる。
【００２５】
このはみ出し印字の範囲は記録媒体のサイズのばらつきや、用紙搬送中のズレ等を十分に吸収する範囲に設定されている。
【００２６】
はみ出し印字を行ったときの記録媒体外に吐出されたインクは、記録ヘッドと対向する位置で記録媒体の反記録面に沿うように設けられているプラテン２０３にインク回収溝部２０４が設けられ、インク回収溝部２０４には発泡ウレタンから成るインク吸収体が設けられており、廃インクとして回収される。
【００２７】
はみ出し部分は記録ヘッドとインク吸収体の距離が記録ヘッドと記録媒体の距離より離れているため、はみ出し印字を行うと、インクミストの発生が多くなる傾向がある。このため、縁なし印字を行う記録装置は記録媒体にインクミスト転写する現象が顕著になるので、本発明の手段は有効に作用する。
【００２８】
図２に本発明の自動給紙部１００の詳細斜視図を示す。
【００２９】
１０７は記録媒体を積載する圧板であり、シャーシ７０１に回動自在に取り付けられている。圧板１０７には圧板ばね１０９が取り付けられており、給送ローラゴム１０１方向に圧接する方向にばね力が作用している。又、圧板１０７には、給送ローラゴム１０１に対向する位置に記録媒体の分離を補助する目的で分離パッド１０８が取り付けられている。分離パッド１０８の記録媒体との摩擦係数は給送ローラゴム１０１よりやや低く設定され、積載された記録媒体が圧板１０７から不用意に滑り出さないようにコントロールされている。
【００３０】
又、本記録装置ではサイズの異なる記録媒体を給紙可能なように用紙の左右端部を規制するためにサイドガイド１０６が圧板にスライド自在に設けられている。
【００３１】
２つの給送ローラ１０２は、Ａ４サイズの記録媒体では２個使用、Ｂ５以下の記録媒体では、１つ使用される位置に配置されており、搬送のバランスを保ち給紙した記録媒体が斜めになる、いわゆる斜行現象を防止するように設定してある。
【００３２】
１０１はＥＰＤＭや塩素化ポリエチレン等の弾性体から成る給送ローラである。給送ローラ１０１は、記録媒体との摩擦係数を高くするため、ゴム硬度２０度〜４０度の比較的低硬度の配合が用いられている。
【００３３】
１０２は給送ローラゴム１０１が取り付けられている給送ローラ芯である。１０５は給紙ころであり、上記給送ローラゴム１０１の外径より若干小さい直径の外径を有する円筒形状で給送ローラ芯１０２に回転自在に取り付けられている。
【００３４】
１０３はＳＵＳ、鉄等から成る給送ローラ軸であり、２個の給送ローラ芯１０２及び給送ローラギア１１０が固定され、不図示の駆動手段により給紙ギア１１０が回転すると一体的に回転する。給送ローラ軸１０３は給送ローラ軸受１０４に回転自在に取り付けられている。
【００３５】
記録装置には電気回路が搭載されている。図２に示す２０１は操作部基板、２０２は回復部６００の動作を検出し、機構の原点出し等をセンスする回復センサ基板である。
【００３６】
又、図４は記録装置を背面方向から見た内部斜視図である。背面の自動給紙部の下にもメイン基板１０３、電源を供給する電源基板２０４がある。メイン基板１０３にはＣＰＵメモリ、記録ヘッド駆動部、モータ駆動部などが搭載されている。又、電源基板２０４は、基板の電気素子や記録ヘッド等にそれぞれ必要な電圧を供給するために用意されている。特に、操作部基板２０２は、記録部に近いため、インクミストの影響を受け易い。
【００３７】
図５に操作部基板の正面図を示す。
【００３８】
６０２、６０３は電源スイッチやリセットスイッチの押圧を検出するスイッチ素子である。６０１はメイン基板１０３と接続するフレキシブルケーブルを取り付けるコネクタである。フレキシブルケーブルは小型化のため０．５ｍｍピッチで信号線を配置してあるため、コネクタ６０１の基板への取り付け端子も０．５ｍｍピッチで配置されている。コネクタ６０１の基板への取り付け端子は、はんだ付け部分であるため、基板のレジストは無い。
【００３９】
このため、この部分にインクミストが付着、蓄積すると、隣り合う信号線同士を導通させてしまい、動作不良を発生してしまう。
【００４０】
操作部基板２０２に実装される素子での最小ピッチの素子は、前記コネクタ６０１の取り付け端子である。前記コネクタ６０１の取り付け端子の近傍にはミスト検出部６０４が配置されている。
【００４１】
図６にミスト検出部の詳細図を示す。
【００４２】
７０１は検出信号線Ａ、７０２は検出信号線Ｂである。前記コネクタ６０１の基板への取り付け端子のピッチ０．５ｍｍ以下になるように、検出信号線Ａ７０１、検出信号線Ｂ７０２は入れ子で配置され、間隔は０．３ｍｍピッチで配置されている。検出部６０４には基板レジストは無いように設計されているため、この部分にインクミストが付着、蓄積すると７０１は検出信号線Ａ、７０２と検出信号線Ｂは導通するため、不図示の検出回路でインクミストの蓄積を検出可能である。
【００４３】
図９に他の形態の検出回路実施例を示す。
【００４４】
１００３はＩＣであり素子の４方向に小ピッチの取り付け端子が設けられている。これら端子のピッチは０．５ｍｍである。このような素子の場合、４方向でミスト付着検出を行うことが可能なように検出信号線Ａ１００１と、検出信号線Ｂ１００２はＩＣ１００３を取り囲むように配置されている。前記ＩＣ１００３の基板への取り付け端子のピッチ０．５ｍｍ以下になるように、検出信号線Ａ１００１、検出信号線Ｂ１００２の間隔は０．３ｍｍピッチで配置されている。
【００４５】
図７に本発明の記録装置のブロック回路図を示す。
【００４６】
２０３はメイン基板で８０１は記録装置の処理を司るＭＰＵ、８０２はホストコンピュータ等からの情報を処理するインターフェイス部、８０３はＲＡＭ、８０４はプログラムを格納するＲＯＭである。８０５はインクミスト検出部、８０６は操作部制御部であり、操作部基板２０２に接続されている。８０７は電源制御部であり、電源基板２０４に接続され、電源供給を管理している。８０８はモータ制御部であり、キャリッジモータ８１１、紙送りモータ８１２、ＡＳＦモータ８１３をコントロールしている。８０９は記録ヘッド制御部であり、記録ヘッド８１０を制御している。
【００４７】
図８のフローチャートでプログラムを説明する。
【００４８】
９０１スタートで検出プログラムが起動され、ミスト検出部６０４の短絡をインクミスト検出部８０５で検出した結果をもってインクミスト検出分岐９０２の判定を行う。インクミスト検出が無しの場合は、Ｎに進み、再び検出判定を行う。
【００４９】
一方、インクミスト検出分岐９０２の結果がありの場合は、Ｙに進み、サービスコール９０３に進み、エラー情報を出し、記録装置の動作を停止するとともに操作部基板２０２への回路を遮断する。
【図面の簡単な説明】
【００５０】
【図１】本発明に係るインクジェット記録装置の外観斜視図である。
【図２】本発明インクジェット記録装置の内部構造を示す斜視図である。
【図３】図１に示すインクジェット記録装置の部分断面図である。
【図４】本発明のインクジェット記録装置の背面方向斜視図である。
【図５】本発明の操作部基板正面図である。
【図６】本発明のミスト検出部の詳細図である。
【図７】本発明のインクジェット記録装置のブロック回路図である。
【図８】本発明のインクジェット記録装置のフローチャートである。
【図９】本発明のミスト検出部の詳細図である。
【符号の説明】
【００５１】
２          給紙トレー
３          排紙カバー
５          給紙口
６          排紙口
８          ＬＦローラ
９          ピンチローラ
１０        排紙ローラ
２１        拍車
１００      自動給紙部
２００      搬送部（記録媒体搬送手段）
２０３      プラテン
２０４      溝部
３００      排出部
４００      記録部
４００ａ    インクジェット記録ヘッド
６００      回復部
７０１      シャーシ
１０１      給送ローラゴム
１０２      給送ローラ芯
１０３      給送ローラ軸
１０４      給送ローラ軸受け
１０５      給紙ころ
１０６      サイドガイド
１０７      圧板
１０８      分離パッド
１０９      圧板ばね
１１０      給紙ギア
２０１      回復センサ基板
２０２    操作部基板
２０３    メイン基板
２０４    電源基板
６０１    コネクタ
６０２    スイッチ
６０３    スイッチ
６０４    ミスト検出部
７０１    検出信号線Ａ
７０２    検出信号線Ｂ
８０１    ＭＰＵ
８０２    インターフェイス部
８０３    ＲＡＭ
８０４    ＲＯＭ
８０５    インクミスト検出部
８０６    操作部制御部
８０７    電源制御部
８０８    モータ制御部
８０９    記録ヘッド制御部
８１０    記録ヘッド
８１１    キャリッジモータ
８１２    紙送りモータ
８１３    ＡＳＦモータ
【図１】
2006192808.tif 000003
【図２】
2006192808.tif 000004
【図３】
2006192808.tif 000005
【図４】
2006192808.tif 000006
【図５】
2006192808.tif 000007
【図６】
2006192808.tif 000008
【図７】
2006192808.tif 000009
【図８】
2006192808.tif 000010
【図９】
2006192808.tif 000011